(57)【要約】【課題】定着部材に圧接する加圧ベルト部材の冷却効果が優れ、小型化した定着装置を提供する。【解決手段】定着ローラ３１に圧接して回動する加圧ベルト３２を有する定着装置３０において、加圧ベルト３２を回動自在に張架する複数のローラのうち少なくとも１個のローラが、中空円筒面に穿孔した複数の空気噴出孔を有する冷却ローラ３５であり、冷却ローラ３５には、冷却ローラ３５内に加圧空気を送り込み、空気噴出孔３５Ａから加圧空気を噴出する送風手段３７が接続されている。【選択図】図３
2008170771.tif 000002
【特許請求の範囲】
【請求項１】
定着部材に圧接して回動する加圧ベルト部材を有する定着装置において、
前記加圧ベルト部材を回動自在に張架する複数のローラのうち少なくとも１個のローラが、中空円筒面に穿孔した複数の空気噴出孔を有する冷却ローラであり、
前記冷却ローラには、前記冷却ローラ内に加圧空気を送り込み、前記空気噴出孔から前記加圧空気を噴出する送風手段が接続されていることを特徴とする定着装置。
【請求項２】
前記加圧ベルト部材を張架する前記複数のローラは、前記冷却ローラと、前記定着部材と前記加圧ベルト部材とが圧接する定着ニップ部に記録材を送り込む入口側の入口ローラと、前記定着ニップ部から排出された前記記録材を分離させる分離ローラと、を有することを特徴とする請求項１に記載の定着装置。
【請求項３】
前記送風手段の加圧空気の噴出圧力は、画像形成開始時には第１の圧力に、前記定着ニップ部を前記記録材が通過する時間内では前記第１の圧力より低圧の第２の圧力に切り換えられることを特徴とする請求項１または２に記載の定着装置。
【請求項４】
前記複数のローラに張架された加圧ベルト部材の内方には、両側壁により遮蔽された閉空間に形成され、送風手段からの空気を前記加圧ベルト部材に向けて吹き付ける前記冷却ローラと、前記閉空間内の空気を機外に排出する排風部とにより空気流通経路が形成されていることを特徴とする請求項１に記載の定着装置。
【請求項５】
前記冷却ローラの複数の前記空気噴出孔は、前記冷却ローラの回転方向に傾斜角を有して配列されていることを特徴とする請求項１に記載の定着装置。
【請求項６】
前記冷却ローラは、熱伝導性の金属材により形成されていることを特徴とする請求項１乃至５の何れか１項に記載の定着装置。
【請求項７】
前記冷却ローラは、前記加圧ベルト部材にテンションを負荷するローラであることを特徴とする請求項１乃至６の何れか１項に記載の定着装置。
【請求項８】
前記冷却ローラは、前記送風管を介して前記送風手段に接続されていることを特徴とする請求項１乃至７の何れか１項に記載の定着装置。
【請求項９】
前記冷却ローラは、前記加圧ベルト部材の進行方向に対して、前記分離ローラの下流側であり、前記入口ローラの上流側に配置されていることを特徴とする請求項１乃至８の何れか１項に記載の定着装置。
【請求項１０】
像担持体上にトナー画像を形成する画像形成手段と、前記像担持体に記録材を供給する給紙手段と、前記トナー画像を前記記録材に転写する転写手段と、転写された前記トナー画像を前記記録材に定着する請求項１乃至６の何れか１項に記載の定着装置とを有することを特徴とする画像形成装置。
【発明の詳細な説明】
【技術分野】
【０００１】
本発明は、複写機、プリンタ、ファクシミリ、及びこれらの機能を備えた複合機等の画像形成装置に装着され、転写材上に形成された未定着トナー像を、定着部材と加圧部材とにより加圧、加熱して画像を定着する定着装置、及び定着装置を備えた画像形成装置に関する。
【背景技術】
【０００２】
従来、複写機、プリンタ、ファクシミリ及びこれらの機能を有する複合機等の電子写真式画像形成装置に用いられている定着装置は、所定の温度に維持された定着ローラと、弾性層を有してその定着ローラに圧接する加圧ローラとによって形成された定着ニップ部により、未定着のトナー像を形成された転写材を挟持搬送しつつ加圧、加熱する熱ローラ定着方式が、低速機から高速機まで、モノクロ機からカラー機に至るまで、幅広く採用されている。
【０００３】
従来の熱ローラ定着方式の定着装置では、転写材上のトナーを加熱する際に、熱容量の大きな定着ローラを加熱する必要があるため、省電力面で不利であり、また、プリント時に定着ローラを暖めるのに時間がかかり、プリントを開始するまでの時間（ウオームアップタイム）が長くなってしまうという問題がある。
【０００４】
上述の問題を解消するために、ベルト状の定着ベルトまたはベルト状の加圧部材を用い、定着部材により低熱容量化し、温度制御されたヒータを定着ベルトに直接加圧接触させることで熱伝導効率を大幅に向上させ、省電力とウオームアップタイムを殆ど必要としないクイックスタートを図ったベルト定着方式の定着装置や画像形成装置が提案され、最近用いられてきている。
【０００５】
特許文献１に提案されている定着装置は、加熱手段を有する定着回転体に対して、複数の支持ローラに回転自在に張架された無端状ベルトと、この無端状ベルトの内側にその無端状ベルトをその内周側から定着回転体に向けて圧接するように固定配置された加圧部材と、で構成され、定着回転体と加圧部材とにより圧接された無端状ベルトとの間に形成される定着ニップ部に記録材を通過させることにより、記録材上に形成された未定着トナー画像を定着させるベルトニップ方式である。
【０００６】
特許文献２に提案されている定着装置は、加圧ベルトを取り囲む閉空間を形成し、この閉空間にエアー供給ダクトと、エアー排出ダクトと、加圧ベルトに向けてエアーを吹き付ける冷却ファンとを設けたものである。
【０００７】
特許文献３に提案されている定着装置は、定着ベルトの裏面に周囲の空気に接して熱を放出する放熱体を設けたものである。
【特許文献１】特開２００１−２０１９７９号公報
【特許文献２】特開２００６−１１９２４３号公報
【特許文献３】特開２００４−７８０４５号公報
【発明の開示】
【発明が解決しようとする課題】
【０００８】
画像形成装置において記録材に連続して画像形成を行う場合、定着回転体と無端状ベルトとの間に形成された定着ニップ部を、記録材が紙間を保持して連続して通過する。このため、記録材が定着ニップ部に存在しない紙間の通過時に、定着回転体から無端状ベルトが過剰な熱を受け、無端状ベルトの全域の温度が過度に昇温し、この過昇温により記録材に形成された未定着トナー画像が乱れてしまうおそれがある。
【０００９】
また、定着ニップ部の記録材の最大幅（搬送方向と直交する方向の最大長さ）に対して、小サイズの記録材が連続通紙された場合には、無端状ベルトの非通紙部の温度が通紙部の温度に対して過昇温し、無端状ベルトの長手方向（搬送方向と直交する幅方向）に温度ムラが発生する。これにより、記録材に形成された未定着トナー画像を溶融する温度にムラが生じて画質劣化が発生する。または定着ニップ部内の摩擦係数にムラが生じて画像ズレが発生するおそれがある。このような画像不良の問題はコート紙や厚紙のような記録材の場合に特に顕著に発生する。
【００１０】
上述の無端状ベルトの過昇温による画像劣化に対しては、従来から無端状ベルト近傍にファン等の冷却手段を配置して、無端状ベルトを急性的に冷却する対応が取られている。
【００１１】
しかし、特許文献１で示される定着装置では、無端状ベルトの外周面を冷却する冷却手段による空気の流れにより、定着装置の熱気が定着装置の周辺の画像形成手段へ到達して、該画像形成手段における像担持体上のトナーが溶融して固着してしまうブロッキング等の問題が発生する。
【００１２】
特許文献２で示される定着装置では、加圧ベルトを取り囲む閉空間内に冷却手段を設けるもので、装置が大型化する。また、定着ベルトの外側から冷却エアーを当てると、冷却エアーが定着ベルトの一部分のみに当たるので、冷却効果が少ない。
【００１３】
特許文献３で示される定着装置では、定着ベルトの内面側の狭い空間内に設置された放熱体は、放熱体自身の冷却効果が少ない。
【００１４】
本発明は、冷却効果が優れ、小型化した定着装置及びこの定着装置を備えた画像形成装置を提供することを目的とする。
【課題を解決するための手段】
【００１５】
上記の目的は、以下の解決手段により達成される。
【００１６】
１．  定着部材に圧接して回動する加圧ベルト部材を有する定着装置において、前記加圧ベルト部材を回動自在に張架する複数のローラのうち少なくとも１個のローラが、中空円筒面に穿孔した複数の空気噴出孔を有する冷却ローラであり、前記冷却ローラには、前記冷却ローラ内に加圧空気を送り込み、前記空気噴出孔から前記加圧空気を噴出する送風手段が接続されていることを特徴とする定着装置。
【００１７】
２．  像担持体上にトナー画像を形成する画像形成手段と、前記像担持体に記録材を供給する給紙手段と、前記トナー画像を前記記録材に転写する転写手段と、転写された前記トナー画像を前記記録材に定着する前記１に記載の定着装置とを有することを特徴とする画像形成装置。
【発明の効果】
【００１８】
本発明の定着装置及び画像形成装置は、以上説明した構成により以下の効果が得られる。
【００１９】
１．  加熱された加圧ベルト部材の内面側を冷却装置からの送風により冷却する冷風を介した冷却効果と、加圧ベルト部材に接触する冷却ローラから熱伝導によって加圧ベルト部材を冷却する冷却効果と、により、加圧ベルト部材の冷却効果の優れた定着装置が提供される。
【００２０】
２．  本発明の定着装置を備えた画像形成装置によれば、安定して均一な定着処理を行い、良好な画像を得ることが出来る。また、加圧ベルト部材の熱が定着装置周辺の部材に伝わって該周辺部材へ悪影響を及ぼすことが防止できる。
【発明を実施するための最良の形態】
【００２１】
以下、本発明の実施の形態を説明する。なお、本欄の記載は請求項の技術的範囲や用語の意義を限定するものではない。
【００２２】
図１は、本発明に係る画像形成装置の一例を示す構成図である。
【００２３】
本画像形成装置は画像形成装置本体Ａと画像読取装置Ｂとから構成される。
【００２４】
画像形成装置本体Ａはタンデム型カラー画像形成装置と称せられるもので、複数組の画像形成手段１０Ｙ，１０Ｍ，１０Ｃ，１０Ｋ、ベルト状の中間転写体６、給紙搬送手段及び定着装置３０等からなる。
【００２５】
画像形成装置本体Ａの上部には、自動原稿送り装置ＤＦと原稿画像走査露光装置ＳＣから成る画像読取装置Ｂが設置されている。自動原稿送り装置ＤＦの原稿台上に載置された原稿ｄは搬送手段により搬送され、原稿画像走査露光装置ＳＣの光学系により原稿の片面又は両面の画像が走査露光され、ラインイメージセンサＣＣＤに読み込まれる。
【００２６】
ラインイメージセンサＣＣＤにより光電変換されて形成された信号は、画像処理部において、アナログ処理、Ａ／Ｄ変換、シェーディング補正、画像圧縮処理等が行われた後、露光手段３Ｙ，３Ｍ，３Ｃ，３Ｋに送られる。
【００２７】
イエロー（Ｙ）色の画像を形成する画像形成手段１０Ｙは、感光体１Ｙの周囲に帯電手段２Ｙ、露光手段３Ｙ、現像手段４Ｙ及びクリーニング手段８Ｙを配置している。マゼンタ（Ｍ）色の画像を形成する画像形成手段１０Ｍは、感光体１Ｍの周囲に帯電手段２Ｍ、露光手段３Ｍ、現像手段４Ｍ及びクリーニング手段８Ｍを配置している。シアン（Ｃ）色の画像を形成する画像形成手段１０Ｃは、感光体１Ｃの周囲に帯電手段２Ｃ、露光手段３Ｃ、現像手段４Ｃ及びクリーニング手段８Ｃを配置している。黒（Ｋ）色の画像を形成する画像形成手段１０Ｋは、感光体１Ｋの周囲に帯電手段２Ｋ、露光手段３Ｋ、現像手段４Ｋ及びクリーニング手段８Ｋを配置している。帯電手段２Ｙと露光手段３Ｙ、帯電手段２Ｍと露光手段３Ｍ、帯電手段２Ｃと露光装置３Ｃ、及び帯電手段２Ｋと露光装置３Ｋは、潜像形成手段を構成する。
【００２８】
なお、現像手段４Ｙ，４Ｍ，４Ｃ，４Ｋは、イエロー（Ｙ）、マゼンタ（Ｍ）、シアン（Ｃ）及び黒（Ｋ）の小粒径のトナーとキャリアからなる２成分現像剤を内包する。
【００２９】
中間転写体６は、複数のローラにより巻回され、図示しない駆動手段により回動可能に支持されている。
【００３０】
定着装置３０は、加熱された定着部材（定着ローラ）３１と加圧ベルト部材（加圧ベルト）３２との間に形成された定着ニップ部で記録材Ｐ上のトナー像を加熱、加圧して定着する。
【００３１】
画像形成手段１０Ｙ，１０Ｍ，１０Ｃ，１０Ｋより形成された各色の画像は、回動する中間転写体６上に一次転写手段７Ｙ，７Ｍ，７Ｃ，７Ｋにより逐次転写されて（１次転写）、カラー画像が合成されたトナー像が形成される。給紙カセット２０内に収容された記録材Ｐは、給紙手段２１により給紙され、給紙ローラ２２Ａ，２２Ｂ，２２Ｃ，２２Ｄ、レジストローラ２３等を経て、二次転写手段７Ａに搬送され、記録材Ｐ上にカラー画像が転写される（２次転写）。カラー画像が転写された記録材Ｐは定着装置３０において加熱、加圧され、記録材Ｐ上のカラートナー像が定着される。その後、排紙ローラ２４に挟持されて機外の排紙トレイ２５上に載置される。
【００３２】
一方、二次転写手段７Ａにより記録材Ｐにカラー画像を転写した後、記録材Ｐを曲率分離した中間転写体６は、クリーニング手段８Ａにより残留トナーが除去される。
【００３３】
なお、以上はカラー画像を形成する画像形成装置であったが、モノクロ画像を形成する画像形成装置であってもよいし、中間転写体を用いても用いなくてもよい。
【００３４】
次に、本発明に係わるベルトニップ方式の定着装置３０の主要構成について説明する。
【００３５】
図２は、本発明に係るベルトニップ方式の定着装置３０の断面図である。図３は定着ローラ３１と加圧ベルト３２の拡大断面図である。
【００３６】
本発明に係る定着装置３０は、通紙路上方の定着ローラ３１と、通紙路下方の加圧ベルト３２を有する。
【００３７】
定着ローラ３１と加圧ベルト３２との間に形成される定着ニップ部を通して、加熱と加圧とにより記録材Ｐ上の単色トナー像、或いは多色トナー像を定着する。
【００３８】
定着ローラ３１は、内部にハロゲンランプ（加熱手段）Ｈを内蔵し、アルミニュウムや鉄等から形成された円筒状芯金３１Ａと、円筒状芯金３１Ａを被覆し耐熱性の高いシリコーンゴムから成る弾性層３１Ｂと、更に弾性層３１Ｂを被覆しＰＦＡ（パーフルオロアルキルビニルエーテル）若しくはＰＴＦＥ（ポリテトラフルオロエチレン）等のフッ素樹脂から成る離型層３１Ｃと、により構成されている。
【００３９】
定着ローラ３１の外周面には、オイル供給手段４１、外部加熱手段４２、クリーニング手段４３、分離爪４４、及び図示しない温度センサ等が配置されている。
【００４０】
加圧ベルト３２は、約１００μｍの厚みのポリイミドにより形成された基体と、基体の外表面を被覆する約２５μｍの厚みのＰＦＡ若しくはＰＴＦＥで形成された離型層とにより構成されていて、無端状に形成されている。
【００４１】
加圧ベルト３２は、記録材Ｐの導入部に近い入口ローラ３３、記録材Ｐの出口部に近く配置され加圧ベルト３２を介して定着ローラ３１に圧接する出口ローラ３４、冷却ローラ３５の各外周を巻回して張設し、定着ローラ３１の外周面に当接する。
【００４２】
分離爪４５は、出口ローラ３４を巻回する加圧ベルト３２の外周面に当接して、加圧ベルト３２から記録材Ｐの先端部を分離する。
【００４３】
昇降手段４６は、加圧ベルト３２、入口ローラ３３、出口ローラ３４、冷却ローラ３５等を有する加圧ユニットを昇降自在に保持して、加圧ベルト３２及び押圧手段３６を定着ローラ３１に圧接する。
【００４４】
加圧ベルト３２を内部から押圧する押圧パッド３６Ａは、硬度ＪＩＳＡ約１０°のシリコーンゴムから形成され、耐熱樹脂から形成され押圧パッド３６Ａを保持する保持部材３６Ｂ、保持部材３６Ｂを付勢する圧縮バネ３６Ｃと共に、耐熱樹脂から形成されたホルダー３６Ｄ内に保持されている。ここで、押圧パッド３６Ａ、保持部材３６Ｂ、圧縮バネ３６Ｃ、ホルダー３６Ｄを含めて押圧手段３６と称す。
【００４５】
このように構成された定着装置３０において、ハロゲンランプＨにより加熱され、不図示の駆動手段によって駆動された定着ローラ３１が図示の時計方向に回転する。また、押圧パッド３６Ａが圧縮バネ３６Ｃにより保持部材３６Ｂを介して押圧され、押圧パッド３６Ａは加圧ベルト３２を定着ローラ３１に押圧する。
【００４６】
従って、加圧ベルト３２は、モータＭ１の駆動により回転する定着ローラ３１によって図示の反時計方向に回転し、押圧パッド３６Ａにより定着ローラ３１に押圧されて弾性変形するので、加圧ベルト３２と定着ローラ３１との間に幅広の定着ニップ部が形成される。搬送された記録材Ｐ上の未定着トナーは定着ニップ部で加熱、加圧されて定着される。
【００４７】
出口ローラ３４は、モータＭ２の駆動によって回転して加圧ベルト３２を回動させる。入口ローラ３３、冷却ローラ３５は加圧ベルト３２の回動により従動回転する。
【００４８】
図４は、冷却ローラ３５の側面図である。
【００４９】
冷却ローラ３５は、中空円筒面に複数の空気噴出孔３５Ａを穿孔したローラであり、冷却ローラに送風管３８を介して接続した送風手段（ファン）３７は、送風管３８を介して冷却ローラ３５内に加圧空気を送り込み、空気噴出孔３５Ａから加圧空気を噴出して加圧ベルト３２の内面を冷却する。
【００５０】
複数のローラ（３３，３４，３５）に張架された加圧ベルト３２の内方は、定着装置３０の側壁３９Ａ，３９Ｂにより遮蔽された図３に示す閉空間３００に形成されている。ファン３７と送風管３８と冷却ローラ３５と、閉空間３００内の空気を機外に排出する排風管４０とを有する空気流通経路が形成される。
【００５１】
ファン３７により冷却ローラ３５内に送風された加圧空気は、複数の空気噴出孔３５Ａから噴出されて閉空間３００内に進入して加圧ベルト３２の内面、及び入口ローラ３３、出口ローラ３４を冷却する。なお、冷却ローラ３５は、ステアリングローラ、テンションローラ、入口ローラ３３、出口ローラ３４などでもよい。
【００５２】
冷却ローラ３５の材質は、熱伝導率が高い金属が望ましく、アルミニウム合金などが適している。冷却ローラ３５は、外径φ３７ｍｍ、厚み１．５ｍｍ、空気孔径φ２ｍｍ、空気孔間隔４ｍｍに設定した。
【００５３】
冷却ローラ３５の中空円筒面に穿孔した複数の空気噴出孔３５Ａは、冷却ローラ３５の回転軸に直交する方向に、例えば、約２０°の傾斜角θを有して配列されている。または、空気噴出孔３５Ａは、傾斜角θのスパイラル状に配置されている。
【００５４】
空気噴出孔３５Ａを回転軸方向に一直線状に配列して（θ＝９０°）、各列を平行に配列すると、空気噴出孔３５Ａが加圧ベルト３２の内周面に断続的に接触するため、加圧ベルト３２の回動に影響する。
【００５５】
また、空気噴出孔３５Ａを回転軸方向に直交する方向に一直線状に配列して（θ＝０°）、各列を平行に配列すると、加圧ベルト３２の内周面に接触する部分と非接触する部分とが形成されて不均一に冷却されるため、加圧ベルト３２の回動に影響する。
【００５６】
熱伝導性の良好な金属材、例えばアルミニウム合金等により形成された冷却ローラ３５は、ファン３７により冷却され、加熱された加圧ベルト３２の内面に回転自在に接触して、熱伝導により加圧ベルト３２の内面を冷却する。したがって、ファン３７からの送風により加圧ベルト３２の内面側を冷却するエアを介した冷却効果と、加圧ベルト３２に接触する冷却ローラ３５からの熱伝導によって冷却される冷却効果とにより、加圧ベルト３２の冷却効果の優れた定着装置が提供される。
【００５７】
図５は、用紙搬送状態における連続印字中の送風制御の一例を説明するタイミングチャートである。図６は、画像形成装置の制御手段９のブロック図である。
【００５８】
画像形成装置本体Ａの主電源オン操作により、画像形成手段１０Ｙ，１０Ｍ，１０Ｃ，１０Ｋ、転写手段、定着装置３０は待機状態となる。この待機状態中に、ファン３７は、送風管３８を介して冷却ローラ３５内に加圧空気を送り込み、空気噴出孔３５Ａから加圧空気を噴出して加圧ベルト３２の内面を強制冷却する。この待機状態中の空気圧は、高圧の０．２ＭＰａ（メガパスカル）である。
【００５９】
画像形成装置本体Ａのプリント開始釦のオン操作により、制御手段９が画像形成処理、及び給紙を開始させる。ほぼ同時または所定時間経過後に、制御手段９がファン３７の駆動を低圧送風に切り換える。定着ニップ部の通紙状態中の空気圧は、低圧の０．１ＭＰａである。したがって、定着装置３０の定着ニップ部を記録材Ｐが通過する時間内は、冷却ローラ３５は低圧の空気圧で噴出して、加圧ベルト３２の内面を冷却する。
【００６０】
１枚目の記録材Ｐの後端部が定着ニップ部を通過したことを定着ニップ部の記録材搬送方向下流側に配置したセンサＰＳが検知すると、制御手段９がファン３７の駆動を高圧送風に切り換える。この紙間搬送中の空気圧は、高圧の０．２ＭＰａである。
【００６１】
２枚目の記録材Ｐに対する画像形成処理が開始されると、制御手段９がファン３７の駆動を再び低圧送風に切り換える。２枚目の記録材Ｐが定着ニップ部を通過する時間内の空気圧は、低圧の０．１ＭＰａである。
【００６２】
２枚目の記録材Ｐが定着ニップ部を通過した後、制御手段９がファン３７の駆動を高圧送風に切り換える。この記録材Ｐの紙間搬送中の空気圧は、高圧の０．２ＭＰａである。以下、後続の記録材Ｐに対しても同様の送風圧の切り換え制御を行う。
【００６３】
一連の画像形成処理が終了して、最終頁の記録材Ｐが定着装置３０により定着処理されて、センサＰＳが記録材Ｐの後端部通過を検知すると、制御手段９はファン３７の駆動を停止させることにより、加圧ベルト３２の内面側の閉空間３００は大気圧に復帰する。
【００６４】
画像形成装置本体Ａにおいて記録材Ｐに連続して画像形成を行う場合、定着ローラ３１と加圧ベルト３２との間に形成された定着ニップ部を、記録材Ｐが紙間を保持して連続して通過する。記録材Ｐの紙間が定着ニップ部を通過する時に、定着ローラ３１から加圧ベルト３２が過剰な熱を受け、加圧ベルト３２の全域の温度が過度に昇温するが、冷却ローラ３５を有する冷却手段により空気を加圧ベルト３２の内面に吹き付けて冷却することにより記録材Ｐに形成された未定着トナー画像の乱れが防止される。
【００６５】
また、定着ニップ部の記録材Ｐの最大幅（搬送方向と直交する方向の最大長さ）に対して、小サイズの記録材Ｐが連続通紙された場合には、加圧ベルト３２の非通紙部の温度が通紙部の温度に対して過昇温し、加圧ベルト３２の長手方向（搬送方向と直交する幅方向）に発生する温度ムラが、冷却ローラ３５を有する冷却手段により解消される。
【００６６】
また、記録材Ｐに形成された未定着トナー画像を溶融する温度にムラが生じて画質劣化が発生したり、定着ニップ部内の摩擦係数にムラが生じて画像ズレが発生したり、コート紙や厚紙のような記録材Ｐの場合に特に顕著に発生する画像劣化の発生なども冷却ローラ３５により解消される。
【００６７】
以上の定着装置の実施の形態では、加熱回転体として定着ローラ３１を配置したが、本発明はこれに限定されるものではなく、定着ローラ３１に代えて加熱源により加熱されて回動する定着ベルトを配置した構成の定着装置でも、本発明は適用可能である。
【００６８】
また、画像形成装置本体Ａの説明においては、カラー画像形成にて説明したが、モノクロ画像を形成する場合も本発明に含まれるものである。
【図面の簡単な説明】
【００６９】
【図１】本発明に係る画像形成装置の構成図
【図２】本発明に係るベルトニップ方式の定着装置の断面図。
【図３】定着ローラと加圧ベルトの拡大断面図。
【図４】冷却ローラの側面図。
【図５】用紙搬送状態における連続印字中の送風制御の一例を説明するタイミングチャート。
【図６】画像形成装置の制御手段のブロック図。
【符号の説明】
【００７０】
９  制御手段
３０  定着装置
３１  定着部材（定着ローラ）
３２  加圧ベルト部材（加圧ベルト）
３３  入口ローラ
３４  出口ローラ
３５  冷却ローラ
３５Ａ  空気噴出孔
３６  押圧手段
３６Ａ  押圧パッド
３７  送風手段（ファン）
３８  送風管
４０  排風管
３００  閉空間
Ａ  画像形成装置本体
Ｐ  記録材
【図１】
2008170771.tif 000003
【図２】
2008170771.tif 000004
【図３】
2008170771.tif 000005
【図４】
2008170771.tif 000006
【図５】
2008170771.tif 000007
【図６】
2008170771.tif 000008